(57)【要約】      （修正有）【課題】てこの原理と、バネの引張力を利用して、下肢の屈曲運動を安全に行えるように補助しつつ、屈曲運動によって健康の維持・増進を図る健康器具を提供する。【解決手段】台２と、台２上に立設する支柱３と、支柱３の頭頂部を支点として支柱３に軸支された状態でシーソー運動をする、使用者の側に開口した略コの字状のフレーム１と、からなり、フレーム１は、先端に、使用者が屈曲運動をする際に把持する持ち手部４が設けられ、支柱３側には、使用者が臀部を載せて腰掛ける腰掛け部６が設けられ、略コの字状とは反対側の端部には、台２に固定されたコイル状の引張バネ５が取り付けられていることで、使用者は腰掛け部６に腰掛けた状態から容易に腰を上げて繰り返し屈曲運動を行うことができることを特徴とする。【選択図】図１
0003198413.tif 000002
【実用新案登録請求の範囲】
【請求項１】
台と、
台上に立設する支柱と、
支柱の頭頂部を支点として支柱に軸支された状態でシーソー運動をする、使用者の側に開口した略コの字状のフレームと、
からなり、
フレームは、
先端に、使用者が屈曲運動をする際に把持する持ち手部が設けられ、
支柱側には、使用者が臀部を載せて腰掛ける腰掛け部が設けられ、
略コの字状とは反対側の端部には、台に固定されたコイル状の引張バネが取り付けられていることで、
使用者が腰掛け部に腰掛けた状態で持ち手部を把持しながら腰を落とすように略コの字状のフレームを押し下げることによりバネが引っ張られ、
バネの引張力が略コの字状のフレームに上向きの力を与えるため、使用者は腰掛け部に腰掛けた状態から容易に腰を上げて繰り返し屈曲運動を行うことができる
ことを特徴とする健康器具。
【請求項２】
台と、
台上に立設する支柱と、
支柱の頭頂部を支点として支柱に軸支された状態でシーソー運動をする、使用者の側に開口した略コの字状のフレームと、
からなり、
フレームは、
先端に、使用者が屈曲運動をする際に把持する持ち手部が設けられ、
略コの字状に開口したフレームの間を掛けるように、使用者が臀部を載せて腰掛ける腰掛け部が設けられ、
略コの字状とは反対側の端部には、台に固定されたコイル状の引張バネが取り付けられていることで、
使用者が腰掛け部に腰掛けた状態で持ち手部を把持しながら腰を落とすように略コの字状のフレームを押し下げることによりバネが引っ張られ、
バネの引張力が略コの字状のフレームに上向きの力を与えるため、使用者は腰掛け部に腰掛けた状態から容易に腰を上げて繰り返し屈曲運動を行うことができる
ことを特徴とする健康器具。
【請求項３】
台と、
台上に立設する支柱と、
支柱の頭頂部を支点として支柱に軸支された状態でシーソー運動をする、使用者の側に幅広に形成された平板状のフレームと、
からなり、
フレームは、
平板状の左右の先端に、使用者が屈曲運動をする際に把持する持ち手部が設けられ、
平板状の全体が、使用者が臀部を載せて腰掛ける腰掛け部として形成され、
平板状の腰掛け部とは反対側の端部には、台に固定されたコイル状の引張バネが取り付けられていることで、
使用者が腰掛け部に腰掛けた状態で持ち手部を把持しながら腰を落とすように平板状のフレームを押し下げることによりバネが引っ張られ、
バネの引張力が平板状のフレームに上向きの力を与えるため、使用者は腰掛け部に腰掛けた状態から容易に腰を上げて繰り返し屈曲運動を行うことができる
ことを特徴とする健康器具。
【請求項４】
請求項２の
略コの字状に開口したフレームの間を掛けるように、使用者が臀部を載せて腰掛ける腰掛け部が設けられたフレームは、
腰掛け部にローラーが取り付けられており、
使用者が腰掛け部に腰掛けた状態でローラーによるマッサージをすることができる
ことを特徴とする請求項２に記載の健康器具。
【請求項５】
請求項４のフレームは、
腰掛け部が、鉛直方向に複数段ローラーが設けられており、
使用者が腰掛け部に腰掛けた状態でローラーによるマッサージをすることができる
ことを特徴とする請求項４に記載の健康器具。
【請求項６】
請求項１のフレームは、
腰掛け部となる支柱側のフレームに、複数の突起が設けられており、
使用者が腰掛け部に腰掛けた状態で突起によるマッサージをすることができる
ことを特徴とする請求項１に記載の健康器具。
【請求項７】
請求項１乃至６のコイル状の引張バネは、
複数のリング状の鎖が一列に連なった調節用鎖と連結し、
調節用鎖によってフレームに取り付けられており、
一列に鎖が連なった調節用鎖のうち、いずれかの鎖をフレームに取り付けることで、
バネの引張力の強さを調節できる
ことを特徴とする請求項１から請求項６のいずれかの項に記載の健康器具。
【考案の詳細な説明】
【技術分野】
【０００１】
本考案は、てこの原理と、バネの引張力を利用して、下肢の屈曲運動を安全に行えるように補助しつつ、屈曲運動によって健康の維持・増進を図る健康器具に関する。
【背景技術】
【０００２】
従来から、てこの原理を利用して、下肢の屈曲運動を行い、足腰を鍛え、健康の維持・増進を図る健康器具は多数考案されている。
例えば、下記特許文献１には、木材で一対の柱、梁、梁上に固定した上段の腕木、シーソーになっている下段の腕木、上下腕木両先端をスプリング引きバネで連結、バネの反力を利用、対面するお互いの脚の自重、意識した力とともに脚が上下運動、さらにお互いの足を紐で連結し、脚の上下運動と連動してブランコのように足が前後に揺動し、脚が上下に、交互に、歩行の如く運動して、脚の筋肉をリハビリすると同時に強化する様に構成したことを特徴とするシーソー型脚機能回復装置が開示されている。
【先行技術文献】
【特許文献】
【０００３】
【特許文献１】特開２００３−１８０７６８公報
【考案の概要】
【考案が解決しようとする課題】
【０００４】
しかし、高齢者であればあるほど、下肢の可動範囲や運動力は低下するため、単に自律的に運動を行うだけでなく、安全に運動を行うことができるように、運動を補助することができる健康器具が望まれているが、そのような健康器具は、未だ提供されていない。
【０００５】
そこで、本考案は、上記問題に鑑み、てこの原理と、バネの引張力を利用して、下肢の屈曲運動を安全に行えるように補助しつつ、屈曲運動によって健康の維持・増進を図る健康器具を提供することを課題とする。
【課題を解決するための手段】
【０００６】
本考案に係る健康器具（以下、単に「健康器具」という。）は、上記課題を、以下の手段によって解決することができる。
【０００７】
本考案に係る健康器具は、
台と、
台上に立設する支柱と、
支柱の頭頂部を支点として支柱に軸支された状態でシーソー運動をする、使用者の側に開口した略コの字状のフレームと、
からなり、
フレームは、
先端に、使用者が屈曲運動をする際に把持する持ち手部が設けられ、
支柱側には、使用者が臀部を載せて腰掛ける腰掛け部が設けられ、
略コの字状とは反対側の端部には、台に固定されたコイル状の引張バネが取り付けられていることで、
使用者が腰掛け部に腰掛けた状態で持ち手部を把持しながら腰を落とすように略コの字状のフレームを押し下げることによりバネが引っ張られ、
バネの引張力が略コの字状のフレームに上向きの力を与えるため、使用者は腰掛け部に腰掛けた状態から容易に腰を上げて繰り返し屈曲運動を行うことができる
ことを特徴とする。
【０００８】
高齢者は、下肢の筋力が低下し、膝を屈曲させても、その状態から元に戻る、つまり、立ち上がることができなくなってしまうことが多く、そのために膝の屈曲運動を積極的に行うことができない。
そこで、本考案は、使用者が、フレームを持ちながら腰を落とすようにして膝を屈曲させると、バネの引張力によって使用者が腰掛けているフレームが持ち上がり、バネの引張力によって使用者が膝を伸展させて立ち上がりやすくなるようにしたことを特徴とする健康器具である。
特に本考案は、フレームに使用者が腰掛けられる腰掛け部を設けたことで、使用者は、腰掛けた状態で本考案に係る健康器具を使用でき、バネの引張力によって使用者が腰掛けたフレームごと持ち上げ、安定した状態で使用者が立ち上がれるように、屈曲運動を補助することを特徴とする。
使用者は、本考案の健康器具に腰掛けた状態で膝を屈曲させ、バネの引張力によって腰掛けた状態で身体ごとフレームが持ち上がるため、上肢を使わず、下肢の運動のみで屈曲運動を行うことができる。
また、フレームには持ち手部が備えられているため、補助的に上肢を使って屈曲運動を補助できる。
【０００９】
本考案は、持ち手部が取り付けられたフレームが、台上に立設した支柱の頭部を支点としてシーソー運動をし、使用者は、このシーソー運動を利用して膝の屈曲運動をすることができる。
フレームは、台上に立設した支柱の頭部に、シーソー運動が可能な状態で軸支されている。
フレームは、略コの字状に開口した形状に形成されており、先端には持ち手部が設けられている。
持ち手部は、運動中に使用者が把持して、上体を安定させたり、運動を補助するためのものである。
フレームの他端には、台に固定されたコイル状の引張バネが取り付けられている。
【００１０】
本考案はこのような構成からなり、使用者が腰掛け部に腰掛けた状態でフレームを押し下げるように下向きの力を加えると、台上に立設した支柱の頭部を支点として、持ち手部とは反対側のコイル状の引張バネが取り付けられたフレームの一端側が上向きに上がり、引張バネが台との間で引っ張られることで、台上に立設した支柱の頭部を支点として、フレームの持ち手部側に上向きの力（押し下げる際の反発力）が発生する。
反対に、フレームの持ち手部側が上向きに上がりきると、台上に立設した支柱の頭部を支点として、持ち手部とは反対側のコイル状の引張バネが取り付けられたフレームの一端側が下向きに下がりきり、引張バネは引張力を失い、フレームの持ち手部側には上向きの力も下向きの力も発生しなくなる。
このように、使用者が腰掛け部に腰掛けた状態で座り込むようにして、フレームを押し下げ、フレームに下向きの力を加えることで生じる引張バネの引張力を利用して、使用者は腰掛け部に腰掛けた状態のまま立ち上がり、膝を伸展させることができ、下肢に過度の負担をかけることなく、繰り返し膝の屈曲運動を行うことができる。
そのため、使用者は、フレームの腰掛け部に腰掛けて座り込むだけでフレームを押し下げ、フレームを押し下げたあとは、バネの引張力によってフレームに上向きの力が働くため、使用者は自ら膝を伸展させなくてもフレームが勝手に持ち上がり、使用者は楽に立ち上がることができる。
このようにして、使用者は、下肢に過度の負担をかけることなく、バネの引張力による補助を受けて、繰り返し膝の屈曲運動を行うことができる。
なお、コイル状の引張バネは、フレームの一端に取り付ける際にバネの長さを変えることで、引張力の強さを調節できる。
また、使用者は、持ち手部を把持しながら屈曲運動を行うことで、上体を安定させ、安全に屈曲運動を行うことができる。
【００１１】
また、本考案に係る健康器具は、腰掛け部となる支柱側のフレームに、複数の突起が設けられており、
使用者が腰掛け部に腰掛けた状態で突起によるマッサージをすることができることを特徴とする。
【００１２】
本考案は、フレームの支柱側が腰掛け部となっており、且つ、フレームの内側に複数の突起が設けられていることを特徴とする。
使用者は、この突起により、膝の屈曲運動の最中または運動とは別に、臀部または腰をマッサージすることができる。
【００１３】
本考案に係る健康器具は、
台と、
台上に立設する支柱と、
支柱の頭頂部を支点として支柱に軸支された状態でシーソー運動をする、使用者の側に開口した略コの字状のフレームと、
からなり、
フレームは、
先端に、使用者が屈曲運動をする際に把持する持ち手部が設けられ、
略コの字状に開口したフレームの間を掛けるように、使用者が臀部を載せて腰掛ける腰掛け部が設けられ、
略コの字状とは反対側の端部には、台に固定されたコイル状の引張バネが取り付けられていることで、
使用者が腰掛け部に腰掛けた状態で持ち手部を把持しながら腰を落とすように略コの字状のフレームを押し下げることによりバネが引っ張られ、
バネの引張力が略コの字状のフレームに上向きの力を与えるため、使用者は腰掛け部に腰掛けた状態から容易に腰を上げて繰り返し屈曲運動を行うことができる
ことを特徴とする。
【００１４】
本考案は、略コの字状に開口したフレームの腰掛け部が、略コの字状に開口したフレームの間を掛けるように、使用者が臀部を載せて腰掛ける腰掛け部が設けられていることを特徴とする。
腰掛け部が、略コの字状に開口したフレームの間に掛かっていることで、より深い位置で腰掛けることができ、より安定的にバネの引張力を受けて臀部に上向きの力が働き、安定した状態で膝を伸展させ、立ち上がることができる。
【００１５】
また、略コの字状に開口したフレームの腰掛け部が、略コの字状に開口したフレームの間を掛けるように、使用者が臀部を載せて腰掛ける腰掛け部が設けられている本考案に係る健康器具は、
腰掛け部にローラーが取り付けられており、
使用者が腰掛け部に腰掛けた状態でローラーによるマッサージをすることができる
ことを特徴とする。
【００１６】
さらに、略コの字状に開口したフレームの腰掛け部が、略コの字状に開口したフレームの間を掛けるように、使用者が臀部を載せて腰掛ける腰掛け部が設けられている本考案に係る健康器具は、
腰掛け部が、鉛直方向に複数段ローラーが設けられており、
使用者が腰掛け部に腰掛けた状態でローラーによるマッサージをすることができる
ことを特徴とする。
【００１７】
本考案は、腰掛け部にローラーを取り付けることで、膝の屈曲運動と同時に臀部や腰のマッサージを行うことができる。
ローラーは、持ち手部以外に、支柱に設けることもできる。
ローラーの形状は、種々のものを選択できる。
ローラーは、水平方向に一列に設けられていても良いし、水平方向に設けられたローラーを、鉛直方向に複数段設けることもできるし、複数段のそれぞれを異なる形状のローラーを設けることもできる。
【００１８】
本考案に係る健康器具は、
台と、
台上に立設する支柱と、
支柱の頭頂部を支点として支柱に軸支された状態でシーソー運動をする、使用者の側に幅広に形成された平板状のフレームと、
からなり、
フレームは、
平板状の左右の先端に、使用者が屈曲運動をする際に把持する持ち手部が設けられ、
平板状の全体が、使用者が臀部を載せて腰掛ける腰掛け部として形成され、
平板状の腰掛け部とは反対側の端部には、台に固定されたコイル状の引張バネが取り付けられていることで、
使用者が腰掛け部に腰掛けた状態で持ち手部を把持しながら腰を落とすように平板状のフレームを押し下げることによりバネが引っ張られ、
バネの引張力が平板状のフレームに上向きの力を与えるため、使用者は腰掛け部に腰掛けた状態から容易に腰を上げて繰り返し屈曲運動を行うことができる
ことを特徴とする。
【００１９】
本考案は、フレームの腰掛け部が、使用者の側に幅広の平板状に形成されていることを特徴とする。
腰掛け部が、平板状に形成されていることで、腰掛け部の面積が広く、使用者はより安定した状態で腰掛けることができる。
【００２０】
本考案に係る健康器具は、
コイル状の引張バネは、
複数のリング状の鎖が一列に連なった調節用鎖と連結し、
調節用鎖によってフレームに取り付けられており、
一列に鎖が連なった調節用鎖のうち、いずれかの鎖をフレームに取り付けることで、
バネの引張力の強さを調節できる
ことを特徴とする。
【００２１】
本考案は、使用者の運動力などに合わせて、運動を補助するバネの引張力の強さを調節できるようにした健康器具である。
具体的には、一端が台に固定されたコイル状の引張バネの他端に、複数のリング状の鎖が一列に連なった調節用鎖を連結し、この調節用鎖をフレームの一端に取り付け、一列に鎖が連なった調節用鎖のうち、いずれかの鎖をフレームに取り付けることで（フレームに取り付けた調節用鎖の長さを変えることで）、引張バネの強さを調整することができる。
調節用鎖は、複数のリング状の鎖が一列に連なったものであり、この鎖のいずれでもフレームに取り付けることができるが、調節用鎖と連結する引張バネから遠い位置にある鎖をフレームに取り付けると、引張バネの引張力は弱くなり、調節用鎖と連結する引張バネから近い位置にある鎖をフレームに取り付けると、引張バネの引張力は強くなる。
このように、調節用鎖のどの位置の鎖をフレームに取り付けるかで、引張バネの引張力を調節することができる。
また、調節用鎖の鎖は、複数のリング状の鎖が一列に連なったものであり、リング状の鎖の１つ１つの位置の違いが引張力に変化をもたらすため、極めて小さい加減で引張力を調節できる。
【考案の効果】
【００２２】
１）膝の屈曲運動を補助することで、安全に繰り返し膝の屈曲運動を行うことができる。つまり、本考案は、負荷を与えて使用者の運動効果を高めるものではなく、運動の補助を行うことで、無理なく、且つ、安全に運動を行うことができるようにしたものである。
２）フレームを押し下げる（腰掛け部に座り込む）動作をするだけで、同時に膝の屈曲運動を行うことができ、その屈曲運動の負担は範囲は、フレームを押し下げる（腰掛け部に座り込む）という自らの意思によって決定できるため、無理なく、使用者のペースで運動を行うことができる。
３）てこの原理を利用した簡単な機構によって、バネの引張力を、フレームを持ち上げる力に代え、使用者が上体を起こす（立ち上がる）際の負担を少なくし、使用者の屈曲運動を補助することができる。
４）下肢の屈曲運動を安全に行えるように補助しつつ、屈曲運動に合わせて臀部や腰の所望の部位をマッサージしながら、健康の維持・増進を図ることができる。
５）極めて簡単な調節機構によって、使用者の運動力などに合わせて、運動を補助するバネの引張力の強さを調節することができる。
【図面の簡単な説明】
【００２３】
【図１】フレームの支柱側に腰掛け部が設けられた実施例の上方斜視図
【図２】フレームの間を掛けるように腰掛け部が設けられた実施例の上方斜視図
【図３】図２の健康器具に使用者が腰掛けた状態を示す上方斜視図
【図４】腰掛け部が平板状に形成された実施例の上方斜視図
【図５】図４の健康器具に使用者が腰掛けた状態を示す上方斜視図
【図６】図２の腰掛け部にローラーが設けられた実施例を示すフレーム部分の上方斜視図
【図７】図６のローラーが複数段設けられた実施例を示すフレーム部の上方斜視図
【図８】図１のフレームに複数の突起が設けられた実施例を示すフレーム部分の上方斜視図
【考案を実施するための形態】
【００２４】
以下、本考案の実施の形態について、図を用いて説明する。
【００２５】
図１は、フレームの支柱側に腰掛け部が設けられた実施例の上方斜視図である。
フレーム１は、台２上に立設した支柱３の頭部に、頭部を支点とする、てこの原理を利用したシーソー運動が可能な状態で軸支されている。
フレーム１は、使用者の側に開口した略コの字状に形成されており、先端には、持ち手部４が設けられ、他端には台２に固定されたコイル状の引張バネ５が取り付けられている。
また、フレーム１は、支柱３側に腰掛け部６が設けられている。
腰掛け部６は、使用者の臀部を安定して載置できる形状、素材からなり、例えば、クッション性が高い素材のものにすることができる。
腰掛け部６は、フレーム１と一体に形成することもできるし、フレーム１とは別に作られたものをフレーム１に取り付けるようにして設けることもできる。
台２は、支柱３を固定し、コイル状の引張バネ５を固定できれば、どのような大きさ、形状であっても良い。
引張バネ５は、引っ張ったときに引張力を生じるものであれば、コイル形状以外の形状のバネを使用することもできる。
引張バネ５は、引張バネ５に連結する複数のリング状の鎖が一列に連なった調節用鎖７によってフレーム１に取り付けられている。
【００２６】
健康器具の高さは、使用者に合わせて変えることができるが、１ｍから１ｍ２０ｃｍ程度が好ましい。
なお、健康器具の高さは、フレーム１を支柱３に取り付ける頭部の高さを変えることで、簡単に調節することができる。
【００２７】
また、引張バネ５の引張力は、引張バネ５に連結している調節用鎖７のうち、どの位置の鎖をフレームに取り付けるかによって、強さを調節できる。
引張力が強くなれば、腰掛け部６にかかる上向きの力（押し下げる際の反発力）が強くなる。
そうすると、使用者は、より強く腰掛け部６を押し下げなければならず、より慎重に、膝の屈曲運動を行うようになる。
そして、膝の屈曲運動をやめて、腰掛け部６を押し下げるのを中止したあとは、腰掛け部６に働く上向きの力を利用して、簡単に身体を起こして膝を伸ばすことができる。
そのため、高齢者などのように、下肢の可動範囲や運動力が低下した使用者には、引張バネ５を短くして取り付け、高い引張力を得て、健康器具を使用することが好ましい。
このように、極めて簡単な調節機構によって、使用者の運動力などに合わせて、運動を補助する引張バネ５の引張力の強さを調節することができる。
【００２８】
以上の構成からなる本考案に係る健康器具は、腰掛け部６を押し下げることで、台２上に立設した支柱３の頭部を支点として、腰掛け部６とは反対側のフレーム１の端部、つまり、バネ５が取り付けられている側の端部が上向きに上がる。
それによって、台２に固定された引張バネ５が伸び、引張力を生じる。
そうすると、頭部を支点とする、てこの原理によって、作用点となる腰掛け部６には、上向きの力が生じる。
この腰掛け部６の上げ下げ（シーソー運動）を利用して、使用者は、膝の屈曲運動を行う際の運動の補助を受ける。
【００２９】
具体的には、引張バネ５に引張力が生じると、腰掛け部６には上向きの力が生じ、押し下げる際の反発力が生じることになる。
そうすると、腰掛け部６を押し下げて、腰を落としながら膝を屈曲させるときは、常に腰掛け部６から上向きの力が生じ、簡単には押し下げることはできず、ゆっくり膝を屈曲させることになる。
つまり、使用者は、腰掛け部６の上向きの力（反発力）を受けながら、自らの力で徐々に膝を曲げることになり、膝を曲げすぎたり、何度も屈曲運動をして膝を悪くすることがない。
このように、無理せず、安全に、且つ、慎重に、膝の屈曲運動を行うことができる。
【００３０】
そして、膝を曲げるのをやめると、使用者は、腰掛け部６の上向きの力（反発力）を利用して、簡単に身体を起こすことができる。
腰掛け部６が上がりきったときは、上向きの力（反発力）はなくなる。
そこで、使用者は、再度、膝を屈曲させながら腰掛け部６を押し下げることで、腰掛け部６に上向きの力（反発力）が生じ、使用者の運動を補助してくれるようになる。
このように、使用者は、屈曲運動の補助を受けながら、楽に、繰り返し、膝の屈曲運動を行うことができる。
【００３１】
図８は、フレームに複数の突起が設けられた実施例を示すフレーム部分の上方斜視図である。
腰掛け部６となる支柱３側のフレーム１に、複数の突起８が設けられ、使用者が腰掛け部６に腰掛けた状態で突起８によるマッサージをすることができる。
【００３２】
図２及び３は、フレームの間を掛けるように腰掛け部が設けられた実施例の上方斜視図と、その実施例の健康器具に、使用者が腰掛けた状態を示す上方斜視図である。
略コの字状に開口したフレーム１の腰掛け部６が、略コの字状に開口したフレーム１の間を掛けるように、使用者が臀部を載せて腰掛ける腰掛け部６が設けられている。
腰掛け部６が、略コの字状に開口したフレーム１の間に掛かっていることで、使用者は、より深い位置で腰掛けることができ、より安定的にバネ５の引張力を受けて腰掛け部６（臀部）に上向きの力が働き、安定した状態で膝を伸展させ、立ち上がることができる。
【００３３】
図６及び７は、腰掛け部にローラーが設けられた実施例を示すフレーム部分の上方斜視図である。
略コの字状に開口したフレーム１の腰掛け部６が、略コの字状に開口したフレーム１の間を掛けるように、使用者が臀部を載せて腰掛ける腰掛け部６が設けられている本考案に係る健康器具は、腰掛け部６にローラー９を取り付けることができる。
また、そのローラー９は、鉛直方向に複数段設けることができる。
これにより、使用者は、腰掛け部６に腰掛けた状態でローラー９によるマッサージをすることができる
【００３４】
本考案は、腰掛け部６にローラー９を取り付けることで、膝の屈曲運動と同時に臀部や腰のマッサージを行うことができる。
ローラー９は、腰掛け部６以外に、支柱に設けることもできる。
ローラー９の形状は、種々のものを選択できる。
ローラー９は、水平方向に一列に設けられていてもできるし、複数段のそれぞれを異なる形状のローラー９を設けることもできる。
【００３５】
図４及び５は、腰掛け部が平板状に形成された実施例の上方斜視図と、その実施例の健康器具に、使用者が腰掛けた状態を示す上方斜視図である。
本考案は、フレーム１の腰掛け部が、使用者の側に幅広の平板状に形成されている。
平板状の腰掛け部６は、面積が広いため、使用者はより安定した状態で腰掛けることができる。
また、バネ５の引張力を受けるときも、平板状の腰掛け部６全体に上向きの力が働くため、使用者はより安定した状態で上向きのフレームにかかる上向きの力を利用して立ち上がり、膝の屈曲運動を行うことができる。
そのため、使用者は、ただ腰掛け部６に座って膝の曲げ伸ばしをするだけで、下肢に過度の負担をかけることなく、膝の屈曲運動を行うことができる。
【００３６】
いずれの図面も、引張バネ５は、引張バネ５に連結する複数のリング状の鎖が一列に連なった調節用鎖７によってフレーム１に取り付けられている。
また、引張バネ５の引張力は、引張バネ５に連結している調節用鎖７のうち、どの位置の鎖をフレームに取り付けるかによって、強さを調節できる。
また、引張バネ５を外すことで、フレーム１を手摺として使用できる。
フレーム１を手摺として使用することで、高齢者でも、他の健康器具（例えば、足踏み用の踏み台など）を併用した運動に、本健康器具を用いることができる。
【符号の説明】
【００３７】
１  フレーム
２  台
３  支柱
４  持ち手部
５  引張バネ
６  腰掛け部
７  調節用鎖
８  突起
９  ローラー
【図１】
0003198413.tif 000003
【図２】
0003198413.tif 000004
【図３】
0003198413.tif 000005
【図４】
0003198413.tif 000006
【図５】
0003198413.tif 000007
【図６】
0003198413.tif 000008
【図７】
0003198413.tif 000009
【図８】
0003198413.tif 000010